(57)【要約】  赤色光を偏光システムへ追加する装置が、第１光源及び第２光源を含む。偏光ビームスプリッタが、第１光源からのＳ偏光及び第２光源からのＰ偏光を組み合わせる。第１多層膜フィルタ手段が、第１光源からの緑色光の偏光状態をＰ偏光状態へ回転させる。第２多層膜フィルタ手段が、第１光源の赤色光をＰ偏光状態へ回転させ且つ第２光源の赤色光をＳ偏光状態へ回転させる。最後に、反射クリーンアップ偏光子が、Ｐ偏光を反射させて第１光源及び第２光源の夫々へ戻し且つＳ偏光を通す。
2007528514.tif 000002
【特許請求の範囲】
【請求項１】
赤色光を偏光システムへ追加する装置であって：
第１光源及び第２光源と；
前記第１光源からのＳ偏光及び前記第２光源からのＰ偏光を組み合わせる偏光ビームスプリッタと；
前記第１光源からの緑色光の偏光状態をＰ偏光状態へ回転させる第１多層膜フィルタ手段と；
前記第１光源の赤色光をＰ偏光状態へ回転させ且つ前記第２光源の赤色光をＳ偏光状態へ回転させる第２多層膜フィルタ手段と；
前記Ｐ偏光を反射させて前記第１光源及び前記第２光源の夫々へ戻し且つ前記Ｓ偏光を更なる処理のために通す反射クリーンアップ偏光子と、
を有する、
ところの装置。
【請求項２】
前記反射クリーンアップ偏光子の出力光は、前記第２光源からの赤色光及び前記第１光源からのシアン光である、
請求項１記載の装置。
【請求項３】
前記の第１及び第２多層膜フィルタ手段は、偏光面を９０°回転させてＳ偏光成分をＰ偏光成分に変換する複数のプレートである、
請求項１記載の装置。
【請求項４】
前記の第１及び第２多層膜フィルタ手段は、前記偏光面を９０°回転させて前記Ｓ偏光成分を前記Ｐ偏光成分に変換する半波長リターダフィルムである、
請求項１記載の装置。
【発明の詳細な説明】
【技術分野】
【０００１】
本発明は、偏光を分けるプリズム構成に係り、特に、偏光システムへ赤色光を追加する包括的な構造に係る。
【背景技術】
【０００２】
液晶ディスプレイ（ＬＣＤ）を高密度な投射型ディスプレイデバイスに搭載することが、益々一般化している。これら従来型の高密度な投射型カラーディスプレイデバイスは、白色光を発する光源を含む。複数のダイクロイックミラーが、白色光を、対応する赤、緑、及び青色（ＲＧＢ）の光バンドに分ける。次に、これらの色の光バンドを、対応する液晶バルブへと向ける。液晶バルブは、光を透過させるか又は透過を妨げる。ライトバルブを通って透過することが許されたＲＧＢの光バンドを、次に、プリズムによって組み合わせる。次に、投影レンズが、像を拡大し且つ投影スクリーン上に投影する。
【０００３】
従来型の液晶板は、レンズアレイ、光源から白色光を集めるレンズ、及び白色光を赤色光、緑色光及び青色光に分ける複数のダイクロイックミラーを備えている。偏光ビームスプリッタ（ｐｏｌａｒｉｚｉｎｇ  ｂｅａｍ  ｓｐｌｉｔｔｅｒ（ＰＢＳ））が、赤、緑及び青系のＳ偏光成分を分ける。それにより、分かれたＳ偏光成分の光を、Ｐ偏光成分の像を合成するために反射性結晶板及びクロスダイクロイックプリズムに投影することが可能になる。Ｐ偏光成分は、出力されるよう、変調され且つ反射される。投写レンズは、イメージ光をスクリーン上に投影する。
【０００４】
現行技術においては、超高圧（ＵＨＰ）水銀アーチランプを光源として利用するとき、赤色光の生成が問題となる。ＵＨＰ水銀ランプから放射される赤色光は、多くはない。更に、照明光学系の複雑性を増すことなく、光を複数の光源からシステムに挿入することは、困難である。その結果、ライトバルブ内への光結合効率が、低減される。
【０００５】
Ｏｇｉｎｏ他に付与された米国特許第５，５３７，１７１号明細書（特許文献１）、発明の名称「液晶投影ディスプレイ（Ｌｉｑｕｉｄ  Ｃｒｙｓｔａｌ  Ｐｒｏｊｅｃｔｉｏｎ  Ｄｉｓｐｌａｙ）」に記載された液晶ディスプレイデバイスは、液晶パネル手段、投写レンズ手段及び光捕捉効率を低減させることなく相対的なコーナ照度（ｒｅｌａｔｉｖｅ  ｃｏｒｎｅｒ  ｉｌｌｕｍｉｎａｎｃｅ）を拡大するスクリーン手段に制限されている。しかしながら、この液晶パネル手段は、赤色光を多くは生成せず、むしろ橙色光を生成する。
【０００６】
Ｔａｊｉｒｉに付与された米国特許第６，３４３，８６４号明細書（特許文献２）、発明の名称「液晶プロジェクタ装置（Ｃｒｙｓｔａｌ  Ｐｒｏｊｅｃｔｏｒ  Ｅｑｕｉｐｍｅｎｔ）」に記載された液晶プロジェクタは、偏光ビームスプリッタが赤色光よりも緑色光及び青色光を透過させるような方法で、偏光ビームスプリッタをマウントするよう制限している。この構成は、所望の赤色光よりも橙色光をより多く生成する。
【特許文献１】米国特許第５，５３７，１７１号明細書
【非特許文献１】米国特許第６，３４３，８６４号明細書
【発明の開示】
【発明が解決しようとする課題】
【０００７】
本発明は、ライトエンジンへの光結合効率を低減させることなく追加の赤色光をもたらす装置を提供することを目的とする。
【課題を解決するための手段】
【０００８】
赤色光を偏光システムへ追加する装置が、第１光源及び第２光源を含む。偏光ビームスプリッタが、第１光源からのＳ偏光及び第２光源からのＰ偏光を組み合わせる。第１多層膜フィルタが、第１光源からの緑色光の偏光状態をＰ偏光状態へ回転させる。第２多層膜フィルタが、第１光源の赤色光をＰ偏光状態へ回転させ且つ第２光源の赤色光をＳ偏光状態へ回転させる。最後に、反射クリーンアップ偏光子が、Ｐ偏光を反射させて第１光源及び第２光源の夫々へ戻し且つＳ偏光を通す。
【発明を実施するための最良の形態】
【０００９】
本発明を、偏光システムを参照しながら以下に説明するが、当業者であれば、本発明の原理が、他の場合にも適用可能であることを理解するであろう。
【００１０】
図１は、本発明の好ましい実施形態における装置１０を示す。第１光源１１が、第１多層膜フィルタ１３上へ集束された第１光源ビーム１２の光を提供する。典型的には、第１光源１１は、超高圧水銀アーチランプ（ｕｌｔｒａ−ｈｉｇｈ  ｐｒｅｓｓｕｒｅ  ｍｅｒｃｕｒｙ  ｖａｐｏｒ  ａｒｃｈ  ｌａｍｐ（ＵＭＰＭＶ））である。代替的には、光源がＵＨＰＭＶアーチランプの光特性を呈する限り、如何なる白色光源をもＵＨＰＭＶランプと代替可能である。第１多層膜フィルタ１３は、偏光ビームスプリッタ１５の第１側面１５ａへ光結合されている。本発明の好ましい実施形態における第１多層膜フィルタ１３は、コロラド州ボルダーのＣｏｌｏｒＬｉｎｋ（商標）社によって製造された赤／シアンＣｏｌｏｒｓｅｌｅｃｔ（商標）プレートのような色選択が可能な半波長リターダフィルムである。更に、Ｃｏｌｏｒｓｅｌｅｃｔ（商標）プレートは、如何なる１／２波長板又は１／２位相板と代替可能である。第１多層膜フィルタ１３は、偏光面を９０°回転させて、Ｓ偏光成分をＰ偏光成分に変換する。次に、第１フィルタのＳ偏光ビーム１４の赤色光及びシアン光が、偏光ビームスプリッタ１５の第１側面１５ａに入射する。
【００１１】
第２光源１６が、偏光ビームスプリッタ１５の第２側面１５ｂに集束された第２偏光ビーム１７の光を提供する。典型的には、第２光源１６は、ハロゲンバルブのような赤色光が豊富な光源である。代替として、光源がハロゲンバルブの光特性を呈する限り、如何なる赤色光源をもハロゲンバルブと代替可能である。たとえば、赤色レーザダイオードアレイが、ハロゲンバルブと代替可能である。第２光源１６と偏光ビームスプリッタ１５との間に、第２光源１６からの入射光（ｉｎｃｏｍｉｎｇ  ｌｉｇｈｔ）の偏光状態をＰ偏光状態へ回転させる多層膜フィルタ手段はない。その結果、第２光源１６の非回転状態のＰ偏光成分及びＳ偏光成分が、偏光ビームスプリッタ１５に入射する。しかしながら、第２光源１６は、赤色の豊かな第２光源のＰ偏光ビーム１７を偏光ビームスプリッタ１５の第２側面１５ｂへもたらす。
【００１２】
偏光ビームスプリッタ１５は、第１フィルタのＳ偏光ビーム１４を、第２光源Ｐ偏光ビーム１７に対して９０°直角で受け取る。偏光ビームスプリッタ１５は、第１光源１１からのＳ偏光成分及び第２光源１６からのＰ偏光を組み合わせる。各光源１１、１６は、通常の集積を通じて集積され、且つリレー光学素子１１ａ、１６ａが、各光源１１、１６へと結合されている。第１光源１１からのＳ偏光成分及び第２光源１６からのＰ偏光が組み合わさることにより、第２光源のＰ偏光２０及び第１光源のＳ偏光１９ａが、偏光ビームスプリッタ１５の第４側面１５ｄから透過される。更に、偏光ビームスプリッタ１５は、第２光源１６からのＳ偏光及び第１光源１１からのＰ偏光を組み合わせる。このことにより、第１光源のＰ偏光１８及び第２光源のＳ偏光１９が、偏光ビームスプリッタ１５の第３側面１５ｃから透過される。第１光源のＳ偏光１９ａ及び第２光源のＰ偏光２０は、装置１０の構造における更なる処理のため、第２多層膜フィルタ２１へ透過される。
【００１３】
第２多層膜フィルタ２１は、偏光ビームスプリッタ１５の第４側面１５ｄへ光結合されている。本発明の好ましい実施形態における第２多層膜フィルタ２１は、コロラド州ボルダーのＣｏｌｏｒＬｉｎｋ（商標）社によって製造された赤／シアンＣｏｌｏｒｓｅｌｅｃｔ（商標）プレートのような色選択が可能な半波長リターダフィルムである。更に、Ｃｏｌｏｒｓｅｌｅｃｔ（商標）プレートは、如何なる１／２波長板又は１／２位相板と代替可能である。第１光源のＳ偏光１９ａ及び第２光源のＰ偏光２０が、第２多層膜フィルタ２１の前面２１ａ上で受光される。同時に、第２光源のシアン光２２及び第１光源の赤色光が、第２多層膜フィルタ２１の背面２１ｂ上で受光される。第２多層膜フィルタ２１は、偏光面を９０°回転させて、Ｓ偏光成分をＰ偏光成分に変換する。第２多層膜フィルタ手段２１の背面２１ｂからの出力光は、Ｐ偏光状態２４へと回転された第１光源の赤色光及びＳ偏光状態２３へと回転された第２光源の赤色光である。
【００１４】
反射クリーンアップ偏光子２６（ｒｅｆｌｅｃｔｉｖｅ  ｃｌｅａｎｕｐ  ｐｏｌａｒｉｚｅｒ）が、反射クリーンアップＰ偏光２７を反射して第１光源１１及び第２光源１６の夫々に戻す。更に、反射クリーンアップ偏光子２６は、反射クリーンアップＳ偏光を、ライトエンジン構造（図示せず）による更なる処理のために透過させる。その結果、反射クリーンアップ偏光子２６からの出力光は、第２光源の赤色光２９及び第１光源のシアン光３０である。
【００１５】
現段階で本発明の好ましい実施形態と考えられるものを例示し且つ説明してきたが、多数の変更及び変形が当業者にとって起こり得ることを理解されたい。添付の特許請求の範囲において、これら全ての変更及び変形は、本発明の精神及び範囲内に含むものと意図する。
【図面の簡単な説明】
【００１６】
【図１】本発明の好ましい実施形態における、赤色光を偏光システムへ追加する構成を示す。
【図１】
2007528514.tif 000003
【国際調査報告】
2007528514.tif 000004
2007528514.tif 000005
2007528514.tif 000006